(57)【特許請求の範囲】
【請求項１】
所定周期ごとに複数の第１データ放送番組それぞれの素材データを繰り返し配列してなる第１のデータ放送番組情報、前記第１のデータ放送番組とは異なる第２のデータ放送番組から成り、少なくともヘッダ領域及び情報領域を備える規格化された第２のデータ放送番組情報、及び受信機側で再生すべき前記第１及び第２のサービス番組に関する制御情報をそれぞれパケット構造の伝送用ストリームに変換し、多重化装置にて各伝送用ストリームを他のストリームと多重して放送帯域中の所定帯域を介して放送する放送信号送出システムの前記多重化装置の入力端子に接続され、かつ複数のプロセスを並列処理可能なデータ放送信号送出装置であって、
前記複数のプロセスとして、前記第１のデータ放送番組情報を前記伝送用ストリームに変換して出力バッファに格納する第１の処理プロセス、前記第２のデータ放送番組情報を前記伝送用ストリームに変換して前記出力バッファに格納する第２の処理プロセス、及び前記制御情報を前記伝送用ストリームに変換して前記出力バッファに格納する第３の処理プロセスを備え、
かつ、入力信号のうち、前記第１のデータ放送番組情報を第１の処理プロセスへ、前記第２のデータ放送番組情報を第２の処理プロセスへ、前記制御情報を第３の処理プロセスへ導出する入力信号分離手段と、
前記出力バッファに格納された前記第１、第２及び第３の処理プロセスの各出力を多重して前記多重化装置に出力する多重化出力手段とを備え、
前記第１の処理プロセスは、前記第１のデータ放送番組情報を取り込み解析し、この解析結果に基づいて伝送用ストリームパケットを生成すると共に、当該伝送用ストリームパケットの送出時刻を示す時間情報を前記伝送用ストリームパケットに付加し、
前記第２の処理プロセスは、前記第２のデータ放送番組情報を取り込み解析し、この解析結果に基づいて伝送用ストリームパケットを生成すると共に、当該伝送用ストリームパケットの送出時刻を示す時間情報を前記伝送用ストリームパケットに付加し、
前記第３の処理プロセスは、前記制御情報を取り込み解析し、この解析結果に基づいて伝送用ストリームパケットを生成すると共に、当該伝送用ストリームパケットの送出時刻を示す時間情報を伝送用ストリームパケットに付加し、
前記多重化出力手段は、各出力伝送用ストリームパケットを多重化する際のビットレートと予め決められた前記所定帯域相当の基準ビットレートとを比較し、この比較結果から各出力伝送用ストリームパケットを多重化する際のビットレートが基準ビットレートを超えない場合、前記出力バッファに格納された伝送用ストリームパケットを送出時間情報順に従って選択的に多重出力し、各出力伝送用ストリームパケットを多重化する際のビットレートが基準ビットレートを超えた場合に、その時点で出力すべき伝送用ストリームパケットを破棄することを特徴とするデータ放送信号送出装置。
【請求項２】
所定周期ごとに複数の第１データ放送番組それぞれから成るＭＰＥＧ(Moving Picture Experts Group)規定のＥＳ(Elementary Stream)データを繰り返し配列してなるカルーセルデータ、前記第１のデータ放送番組とは異なる第２のデータ放送番組から成るＰＥＳ(Packetized Elementary Stream)データ、及び受信機側で再生すべき前記第１及び第２のサービス番組に関するＰＳＩ／ＳＩデータをそれぞれパケット構造のＴＳ（Transport Stream）に変換し、多重化装置にて各ＴＳを他のＴＳと多重して放送帯域中の所定帯域を介して放送する放送信号送出システムの前記多重化装置の入力端子に接続され、かつ複数のプロセスを並列処理可能なデータ放送信号送出装置であって、
前記複数のプロセスとして、前記カルーセルデータを前記ＴＳパケットに変換して出力バッファに格納する第１の処理プロセス、前記ＰＥＳデータを前記ＴＳパケットに変換して前記出力バッファに格納する第２の処理プロセス、及び前記ＰＳＩ／ＳＩデータを前記ＴＳパケットに変換して前記出力バッファに格納する第３の処理プロセスを備え、
かつ、入力信号のうち、前記カルーセルデータを第１の処理プロセスへ、前記ＰＥＳデータを第２の処理プロセスへ、前記ＰＳＩ／ＳＩデータを第３の処理プロセスへ導出する入力信号分離手段と、
前記出力バッファに格納された前記第１、第２及び第３の処理プロセスの各出力ＴＳパケットを多重して前記多重化装置に出力する多重化出力手段とを備え、
前記第１の処理プロセスは、前記カルーセルデータを取り込み解析し、この解析結果に基づいてＴＳパケットを生成すると共に、当該ＴＳパケットの送出時刻を示す時間情報としてのＳＴＣ(System Time Clock)をＴＳパケットに付加し、
前記第２の処理プロセスは、前記ＰＥＳデータを取り込み解析し、この解析結果に基づいてＴＳパケットを生成すると共に、当該ＴＳパケットの送出時刻を示す時間情報としてのＳＴＣをＴＳパケットに付加し、
前記第３の処理プロセスは、前記ＰＳＩ／ＳＩデータを取り込み解析し、この解析結果に基づいてＴＳパケットを生成すると共に、当該ＴＳパケットの送出時刻を示す時間情報としてのＳＴＣをＴＳパケットに付加し、
前記多重化出力手段は、各出力ＴＳパケットを多重化する際のビットレートと予め決められた前記所定帯域相当の基準ビットレートとを比較し、この比較結果から各出力ＴＳパケットを多重化する際のビットレートが基準ビットレートを超えない場合、前記出力バッファに格納されたＴＳパケットを送出ＳＴＣ順に従って選択的に多重出力し、各出力ＴＳパケットを多重化する際のビットレートが基準ビットレートを超えた場合に、その時点で出力すべきＴＳパケットを破棄することを特徴とするデータ放送信号送出装置。
【請求項３】
所定周期ごとに複数の第１データ放送番組それぞれの素材データを繰り返し配列してなる第１のデータ放送番組情報、前記第１のデータ放送番組とは異なる第２のデータ放送番組から成り、少なくともヘッダ領域及び情報領域を備える規格化された第２のデータ放送番組情報、及び受信機側で再生すべき前記第１及び第２のサービス番組に関する制御情報をそれぞれパケット構造の伝送用ストリームに変換し、これら伝送用ストリームを多重化して出力し、かつ複数のプロセスを並列処理可能なデータ放送信号送出装置に使用される方法であって、
前記複数のプロセスとして、前記第１のデータ放送番組情報を前記伝送用ストリームに変換して出力バッファに格納する第１の処理プロセス、前記第２のデータ放送番組情報を前記伝送用ストリームに変換して前記出力バッファに格納する第２の処理プロセス、及び前記制御情報を前記伝送用ストリームに変換して前記出力バッファに格納する第３の処理プロセスを備えておき、
入力信号のうち、前記第１のデータ放送番組情報を第１の処理プロセスへ、前記第２のデータ放送番組情報を第２の処理プロセスへ、前記制御情報を第３の処理プロセスへ導出する導出ステップと、
前記出力バッファに格納された前記第１、第２及び第３の処理プロセスの各出力を多重する多重ステップとを備え、
前記第１の処理プロセスは、前記第１のデータ放送番組情報を取り込み解析し、この解析結果に基づいて伝送用ストリームパケットを生成すると共に、当該伝送用ストリームパケットの送出時刻を示す時間情報を前記伝送用ストリームパケットに付加し、
前記第２の処理プロセスは、前記第２のデータ放送番組情報を取り込み解析し、この解析結果に基づいて伝送用ストリームパケットを生成すると共に、当該伝送用ストリームパケットの送出時刻を示す時間情報を前記伝送用ストリームパケットに付加し、
前記第３の処理プロセスは、前記制御情報を取り込み解析し、この解析結果に基づいて伝送用ストリームパケットを生成すると共に、当該伝送用ストリームパケットの送出時刻を示す時間情報を伝送用ストリームパケットに付加し、
前記多重ステップは、各出力伝送用ストリームパケットを多重化する際のビットレートと予め決められた前記所定帯域相当の基準ビットレートとを比較し、この比較結果から各出力伝送用ストリームパケットを多重化する際のビットレートが基準ビットレートを超えない場合、前記出力バッファに格納された伝送用ストリームパケットを送出時間情報順に従って選択的に多重出力し、各出力伝送用ストリームパケットを多重化する際のビットレートが基準ビットレートを超えた場合に、その時点で出力すべき伝送用ストリームパケットを破棄することを特徴とするデータ放送信号送出方法。
【発明の詳細な説明】
【０００１】
【発明の属する技術分野】
この発明は、衛星放送、地上波放送等のデジタル放送システムにおいて、データ放送を行うためのデータ放送信号送出装置及びデータ放送信号送出方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
上記デジタル放送では、画像や音声によるテレビジョン放送だけでなく、文字やデータによる放送（データ放送）も可能となる。
【０００４】
【発明が解決しようとする課題】
ところで、上記データ放送では、テレビジョン放送番組に連動した情報や、またテレビジョン放送番組とは独立した情報等を提供している。特に、テレビジョン放送番組に連動した情報については、ユーザがいつ受信を開始しても即座に表示できるように複数の番組データ（カルーセルデータ）を一定の時間間隔で繰り返し送信している。このため、放送局では、画像や音声を取り扱う送信系統の他に、カルーセルデータを取り扱う送信系統と、テレビジョン放送番組とは独立した情報（ＰＥＳデータ）を取り扱う送信系統とが別々に存在することとなる。
【０００５】
特に、上記放送局では、多チャンネル分のデータ放送番組を放送することになると、増設すべき送信系統分の送出装置が必要となり、その分設置スペースが必要になるとともに、システムのコストアップを招くことになる。
【０００６】
また、上記放送局では、放送帯域が予め固定されているため、データ放送により伝送すべきデータを多重化出力レートからテレビジョン放送番組の画像及び音声のビットレートを差し引いたレートで出力しなければならない。このため、データ放送のビットレートの管理を行なう必要がある。
【０００７】
しかし、上記放送局の多重化装置では、テレビジョン放送の画像及び音声、データ放送のカルーセルデータ及びＰＥＳデータの多重化出力レートを管理することができるが、多重化出力レートに含まれるデータ放送のビットレートについては管理することが困難である。
【０００８】
この発明の目的は、複数種類のデータ放送信号を効率良く送出することができ、しかも省スペース化及び低コスト化を図るとともに、複数種類のデータ放送信号のトータルビットレートを管理することが可能なデータ放送信号送出装置及びデータ放送信号送出方法を提供することにある。
【０００９】
【課題を解決するための手段】
この発明は、上記目的を達成するために、以下のように構成される。
【００１０】
（１）所定周期ごとに複数の第１データ放送番組それぞれの素材データを繰り返し配列してなる第１のデータ放送番組情報、第１のデータ放送番組とは異なる第２のデータ放送番組から成り、少なくともヘッダ領域及び情報領域を備える規格化された第２のデータ放送番組情報、及び受信機側で再生すべき第１及び第２のサービス番組に関する制御情報をそれぞれパケット構造の伝送用ストリームに変換し、多重化装置にて各伝送用ストリームを他のストリームと多重して放送帯域中の所定帯域を介して放送する放送信号送出システムの多重化装置の入力端子に接続され、かつ複数のプロセスを並列処理可能なデータ放送送出装置であって、
複数のプロセスとして、第１のデータ放送番組情報を前記伝送用ストリームに変換する第１の処理プロセス、第２のデータ放送番組情報を伝送用ストリームに変換する第２の処理プロセス、及び制御情報を伝送用ストリームに変換する第３の処理プロセスを備え、かつ、入力信号のうち、第１のデータ放送番組情報を第１の処理プロセスへ、第２のデータ放送番組情報を第２の処理プロセスへ、制御情報を第３の処理プロセスへ導出する入力信号分離手段と、第１、第２及び第３の処理プロセスの各出力を多重して多重化装置に出力する多重化出力手段とを備えるようにしたものである。
【００１１】
（１）の発明によれば、複数のプロセスのうちの１つを、第１のデータ放送番組情報を伝送用ストリームに変換する第１の処理プロセスに設定し、残りの複数のプロセスをそれぞれ、第２のデータ放送番組情報を伝送用ストリームに変換する第２の処理プロセス、制御情報を伝送用ストリームに変換する第３の処理プロセスに設定し、入力信号分離手段により入力信号を情報種類ごとに第１、第２及び第３の処理プロセスに振り分け、多重化出力手段により各処理プロセスの出力伝送用ストリームパケットを多重化して出力するようにしているので、１つの送出装置を第１のデータ放送番組の送出処理用及び第２のデータ放送番組の送出処理用に共用することができ、各々送出装置を別途用意する必要はない。このため、１台の送出装置で複数種類のデータ放送信号を効率良く送出することが可能となり、しかも送出装置台数を減らせる分コストダウン、省スペース化を図れるとともに、トータルビットレート管理を行なうことができる。
【００１２】
（２）第１の処理プロセスは、カルーセルデータを取り込み解析し、この解析結果に基づいてＴＳパケットを生成すると共に、時間情報としてのＳＴＣ(System Time Clock)をＴＳパケットに付加し、第２の処理プロセスは、ＰＥＳデータを取り込み解析し、この解析結果に基づいてＴＳパケットを生成すると共に、時間情報としてのＳＴＣをＴＳパケットに付加し、第３の処理プロセスは、ＰＳＩ／ＳＩデータを取り込み解析し、この解析結果に基づいてＴＳパケットを生成すると共に、時間情報としてのＳＴＣをＴＳパケットに付加し、多重化出力手段は、各出力ＴＳパケットを多重化する際のビットレートと予め決められた基準ビットレートとを比較し、この比較結果に基づきＴＳパケットを送出ＳＴＣ順に従って選択的に多重出力することを特徴とする。
【００１３】
（２）の発明によれば、多重化出力手段により各ＴＳパケットを多重化する際のビットレートが基準ビットレートと比較され、この比較結果に基づいて、ＴＳパケットがＳＴＣの早い順に選択されて、多重出力される。したがって、ビットレートが基準ビットレートを超えたとしても、これに比較的柔軟に対応することができ、これにより放送帯域中の限られたデータ放送用の帯域を有効に利用して、複数種類のデータ放送信号を効率良く放送できる。
【００１４】
【発明の実施の形態】
以下、この発明の実施形態について図面を参照して詳細に説明する。
【００１５】
図１は、この発明に係るデジタル放送信号多重送出装置が適用される局内システムの一実施形態を示すブロック構成図である。
【００１６】
このシステムは、同図に示すように、エンコーダ（ＥＮＣ）１１，１２と、マルチプレクサ（ＭＵＸ）１３と、符号化多重制御部（ＥＭＣ）１４と、データ放送送出部１５と、自動番組送出制御部（ＡＰＣ）１６と、局内時計１７と、データサーバ（ＤＳ）１８とを備えている。
【００１７】
エンコーダ１１は、テレビジョン放送番組の映像信号をＭＰＥＧ２符号化方式で圧縮符号化してビットストリームを生成し、マルチプレクサ１３に出力する。エンコーダ１２は、テレビジョン放送番組の音声信号をＡＡＣ（Advanced Audio Coding）符号化方式で圧縮符号化してビットストリームを生成し、マルチプレクサ１３に出力する。
【００１８】
マルチプレクサ１３は、各エンコーダ１１，１２の出力と、データ放送送出部１５から出力されるデータ放送用データとを多重化し、トランスポートストリームとして送出する。
【００１９】
符号化多重制御部１４は、自動番組送出制御部１６から提供される指示情報、放送スケジュールデータ及び局内時計１７で計測される編成時刻に基づいてエンコーダ１１，１２及びマルチプレクサ１３を制御する。
【００２０】
データ放送送出部１５は、自動番組送出制御部１６から提供される指示情報及びデータサーバ１８から提供される編成情報に基づいて、データ放送のＴＳパケットをマルチプレクサ１３に送出するものである。
【００２１】
自動番組送出制御部１６は、データサーバ１８から提供される放送スケジュールデータ及び局内時計１７で計測される番組編成時刻に従って、符号化多重部１４及びデータ放送送出部１５に対し指示情報を送出して符号化多重部１４の符号化多重処理を制御し、またデータ放送送出部１５の送出処理を制御するようにしている。
【００２２】
図２は、上記データ放送送出部１５の具体的構成を示すブロック図である。
【００２３】
図２において、データバス１５１上には入力インタフェース（Ｉ／Ｆ）１５２、ＣＰＵ１５３、ＲＡＭ１５４、出力バッファ１５５が接続される。また、ＣＰＵ１５３には、ＲＯＭ１５６が接続される。また、出力バッファ１５５には、出力インタフェース（Ｉ／Ｆ）１５７が接続される。
【００２４】
ＣＰＵ１５３は、例えば複数の処理プロセスを並列処理するマルチタスクオペレーション方式のプロセッサであり、ＲＯＭ１５６に記憶された制御プログラムに基づいて、図３に示すようなソフトウェア処理を実行する。
【００２５】
すなわち、ＲＯＭ１５６に記憶された制御プログラムには、複数のプロセスとして、アプリケーションインタフェース（Ｉ／Ｆ）処理部Ｐ１と、ＰＳＩ／ＳＩデータ受信部Ｐ２と、ＰＳＩ／ＳＩデータ一次多重部Ｐ３と、二次多重処理部Ｐ４と、カルーセルデータ受信部Ｐ５と、カルーセルデータ一次多重部Ｐ６と、ＰＥＳデータ受信部Ｐ７と、ＰＥＳデータ一次多重部Ｐ８とがある。これらはＣＰＵ１５３の制御の下で互いに独立して動作する。
【００２６】
ＣＰＵ１５３において、アプリケーションインタフェース処理部Ｐ１では、上記データサーバ１８から提供される編成情報に基づいて、入力されたデータが受信機側で再生すべきデータ放送番組に関する制御情報としてのＰＳＩ／ＳＩデータ、カルーセルデータ、ＰＥＳデータを識別し、識別したＰＳＩ／ＳＩデータをＰＳＩ／ＳＩデータ受信部Ｐ２へ、カルーセルデータをカルーセルデータ受信部Ｐ５へ、ＰＥＳデータをＰＥＳデータ受信部Ｐ７へと振り分ける。
【００２７】
ＰＳＩ／ＳＩデータ受信部Ｐ２では、受信したＰＳＩ／ＳＩデータをＲＡＭ１５４の然るべき領域へ格納する。ＰＳＩ／ＳＩデータ一次多重部Ｐ３では、上記ＰＳＩ／ＳＩデータ受信部Ｐ２にてＲＡＭ１５４に格納されたＰＳＩ／ＳＩデータをＴＳパケットに変換すると共に、このＴＳパケットに送出順序付け、送出ＳＴＣの付加を行ない、しかる後にＴＳパケットを出力バッファ１５５に格納する。
【００２８】
カルーセルデータ受信部Ｐ５では、受信したカルーセルデータをＲＡＭ１５４の然るべき領域へ格納する。カルーセルデータ一次多重部Ｐ６では、上記カルーセルデータ受信部Ｐ５にてＲＡＭ１５４に格納されたカルーセルデータをＴＳパケットに変換すると共に、このＴＳパケットに送出順序付け、送出ＳＴＣの付加を行ない、しかる後にＴＳパケットを出力バッファ１５５に格納する。
【００２９】
ＰＥＳデータ受信部Ｐ７では、受信したＰＥＳデータをＲＡＭ１５４の然るべき領域へ格納する。ＰＥＳデータ一次多重部Ｐ８では、上記ＰＥＳデータ受信部Ｐ７にてＲＡＭ１５４に格納されたＰＥＳデータをＴＳパケットに変換すると共に、このＴＳパケットに送出順序付け、送出ＳＴＣの付加を行ない、しかる後にＴＳパケットを出力バッファ１５５に格納する。このとき、ＳＴＣ値に基づき、ＰＴＳ（Presentation Time Stamp）及びＤＴＳ(Decorde Time Stamp)の打ち換え処理を行なう。
【００３０】
二次多重処理部Ｐ４では、出力バッファ１５５に格納されたＴＳパケットを、該ＴＳパケットに付加されているＳＴＣ値の高い順に出力インタフェース１５７を介して出力する。
【００３１】
かくして、データ放送送出部１５からＰＥＳデータ、カルーセルデータ、ＰＳＩ／ＳＩデータを多重したＴＳが生成される。
【００３２】
また、二次多重処理部Ｐ４では、ＰＥＳデータ、カルーセルデータ、ＰＳＩ／ＳＩデータの各ＴＳパケットを多重する際のビットレートを基準レートと比較し、この比較結果からビットレートが基準レートを超える恐れがある場合に、ＳＴＣが早い順からＴＳパケットを出力し、万一超えてしまった時点で、出力すべきＴＳパケットを破棄するようにもしている。
【００３３】
次に、以上の構成による処理動作について説明する。
上記ＰＥＳデータ及びカルーセルデータは、互いに独立して制作されるデータ放送番組を示すデータである。また、上記ＰＳＩ／ＳＩデータは、受信機においてデータ放送番組の開始・停止を制御するために必要なデータである。
【００３４】
上記ＰＳＩ／ＳＩデータは、図４（ａ）に示す如く、一定周期ごとに送出するデータであり、カルーセルデータは、図４（ｂ）に示す如く、送出すべきデータ放送番組数分のＥＳデータを一定周期ごとに繰り返し配列したデータであり、ＰＥＳデータは、図４（ｃ）に示す如く、放送時刻に従って送出すべきデータである。
【００３５】
しかしながら、カルーセルデータとＰＥＳデータは、互いに独立して生成されているため、別々の送出装置が必要となり、チャンネル数が増えると放送局内のシステム構成が複雑となる。そこで、この実施形態では、ＰＳＩ／ＳＩデータ、カルーセルデータ及びＰＥＳデータをそのまま１台のデータ放送送出部１５に入力し、データ放送送出部１５内のＣＰＵ１５３にてマルチタスク処理によりＰＳＩ／ＳＩデータ、カルーセルデータ及びＰＥＳデータを別々に処理する。
【００３６】
ここで、データ放送送出部１５では、ＰＳＩ／ＳＩデータ受信部Ｐ２にてＰＳＩ／ＳＩデータをＲＡＭ１５４に格納し、カルーセルデータ受信部Ｐ５にてカルーセルデータをＲＡＭ１５４のＰＳＩ／ＳＩデータとは別の領域に格納し、ＰＥＳデータ受信部Ｐ７にてＰＥＳデータをＲＡＭ１５４のＰＳＩ／ＳＩデータ及びカルーセルデータとは別の領域に格納する。
【００３７】
ＲＡＭ１５４に格納されたＰＳＩ／ＳＩデータは、ＰＳＩ／ＳＩデータ一次多重部Ｐ３にて、ＳＴＣ、ＴＳヘッダ、アダプテーションフィールド等が付加されてＴＳパケットに生成され、出力バッファ１５５に書き込まれる。また、ＲＡＭ１５４に格納されたカルーセルデータは、カルーセルデータ一次多重部Ｐ６にて、ＳＴＣ、ＴＳヘッダ、アダプテーションフィールド等が付加されてＴＳパケットに生成され、出力バッファ１５５に書き込まれる。さらに、ＲＡＭ１５４に格納されたＰＥＳデータは、ＰＥＳデータ一次多重部Ｐ８にて、ＳＴＣ、ＴＳヘッダ、アダプテーションフィールド等が付加されてＴＳパケットに生成され、出力バッファ１５５に書き込まれる。
【００３８】
そして、出力バッファ１５５に書き込まれた各ＴＳパケットは、二次多重処理部Ｐ４にてそれぞれＳＴＣ値が識別され、その識別結果に基づいて、出力インタフェース１５７に転送される。これで、ＰＳＩ／ＳＩデータ、カルーセルデータ及びＰＥＳデータを多重化したデータ放送用のＴＳが生成される。
【００３９】
また、二次多重処理部Ｐ４では、多重化すべきビットレートが基準レートと比較され、万一基準レートを超えることがあった場合に、その時点で送出すべきＴＳパケットを破棄しマルチプレクサ１３の破綻を防ぐ。また、ＴＳパケットを破棄する場合に、破棄する旨をアラームとして外部に報知するようにしてもよい。
【００４０】
したがって、上記データ放送送出部１５によれば、ＰＳＩ／ＳＩデータ、カルーセルデータ及びＰＥＳデータをそのまま入力しても、多重化ビットレートに応じてＰＳＩ／ＳＩデータ、カルーセルデータ及びＰＥＳデータを効率良く多重化して送出することができる。このため、マルチプレクサ１３にて、データ放送用のＴＳのビットレートを管理する必要がなく、その分マルチプレクサ１３の処理負荷を軽減できる。
【００４１】
以上のように上記実施形態によれば、ＣＰＵ１５３により並列処理される複数の処理プロセスのうちの１つを、ＰＳＩ／ＳＩデータをＴＳパケットに変換するＰＳＩ／ＳＩデータ一次多重部Ｐ３に設定し、残りの複数の処理プロセスをそれぞれ、カルーセルデータをＴＳパケットに変換するカルーセルデータ一次多重部Ｐ６、ＰＥＳデータをＴＳパケットに変換するＰＥＳデータ一次多重部Ｐ８に設定しているので、１台のデータ放送送出部１５をＰＥＳデータの送出処理用及びカルーセルデータの送出処理用に共用することができ、各々送出装置を別途用意する必要はない。
【００４２】
従って、１台のデータ放送送出部１５でＰＥＳデータ及びカルーセルデータを効率良くＴＳパケット化して送出することが可能となり、しかもコストダウン、省スペース化を図れるとともに、データ放送におけるトータルビットレート管理を行なうことができる。
【００４３】
また、上記実施形態によれば、二次多重処理部Ｐ４により各ＴＳパケットを多重化する際のビットレートが基準ビットレートと比較され、この比較結果から多重化ビットレートが基準レートを超える恐れがある場合に、ＴＳパケットがＳＴＣの早い順に選択されて、多重出力される。
【００４４】
したがって、多重化ビットレートが基準レートを超えたとしても、これに比較的柔軟に対応することができ、これにより放送帯域中の限られたデータ放送用の帯域を有効に利用して、複数種類のデータ放送信号を効率良く放送できる。
【００４５】
なお、この発明は上記実施形態に限定されるものではない。例えば、上記実施形態では、ＭＰＥＧ規格のデータ放送信号を取り扱う例について説明したが、ＭＰＥＧ以外のデータ放送信号を取り扱うようにしてもよい。
【００４６】
その他、局内システムの構成、データ放送送出部の種類やその構成、データ放送送出部におけるデータの処理制御手順等についても、この発明の要旨を逸脱しない範囲で種々変形して実施できる。
【００４７】
【発明の効果】
以上詳述したようにこの発明によれば、複数種類のデータ放送信号を効率良く送出することができ、しかも省スペース化及び低コスト化を図るとともに、複数種類のデータ放送信号のトータルビットレートを管理することが可能なデータ放送信号送出装置及びデータ放送信号送出方法を提供することができる。
【図面の簡単な説明】
【図１】この発明に係るデータ放送信号送出装置が適用される局内システムの一実施形態を示すブロック図。
【図２】図１に示したデータ放送送出部のハードウェア構成を示すブロック図。
【図３】図１に示したデータ放送送出部のソフトウェア構成を示すブロック図。
【図４】上記実施形態で取り扱うＰＳＩ／ＳＩデータ、カルーセルデータ及びＰＥＳデータのタイミング図。
【符号の説明】
１１，１２…エンコーダ（ＥＮＣ）、
１３…マルチプレクサ（ＭＵＸ）、
１４…符号化多重制御部（ＥＭＣ）、
１５…データ放送送出部、
１６…自動番組送出制御部（ＡＰＣ）、
１７…局内時計、
１８…データサーバ（ＤＳ）、
Ｐ１…アプリケーションインタフェース（Ｉ／Ｆ）処理部、
Ｐ２…ＰＳＩ／ＳＩデータ受信部、
Ｐ３…ＰＳＩ／ＳＩデータ一次多重部、
Ｐ４…二次多重処理部、
Ｐ５…カルーセルデータ受信部、
Ｐ６…カルーセルデータ一次多重部、
Ｐ７…ＰＥＳデータ受信部、
Ｐ８…ＰＥＳデータ一次多重部。
【図１】
0004177588.tif 000002
【図２】
0004177588.tif 000003
【図３】
0004177588.tif 000004
【図４】
0004177588.tif 000005